(57)【要約】  ドレンパン１０２を備えた空気調和装置２００の吹出部に取り付けられる加湿装置１００であって、加湿装置本体１００Ａと、加湿装置本体１００Ａの内部に設けられる加湿エレメント１と、加湿エレメント１に供給する水を溜める給水タンク２と、加湿エレメント１及び給水タンク２の少なくとも一方から流出する水をドレンパン１０２に導く導水部材４０と、を備えたものである。
2016121091.tif 000002
【特許請求の範囲】
【請求項１】
ドレンパンを備えた空気調和装置の吹出部に取り付けられる加湿装置であって、
加湿装置本体と、
前記加湿装置本体の内部に設けられる加湿エレメントと、
前記加湿エレメントに供給する水を溜める給水タンクと、
前記加湿エレメント及び前記給水タンクの少なくとも一方から流出する水を前記ドレンパンに導く導水部材と、を備えた
加湿装置。
【請求項２】
前記導水部材には、前記吹出部側に向かうにつれて下方に傾斜する傾斜部が設けられ、  前記傾斜部には、該傾斜部の一部が上方から下方に向かって切り欠かれた導水部材切欠きが設けられている
請求項１に記載の加湿装置。
【請求項３】
前記導水部材と前記ドレンパンとの間に介在する緩衝材をさらに備えた
請求項１又は請求項２に記載の加湿装置。
【請求項４】
前記給水タンクの液面を検知するフロートスイッチと、
前記給水タンクに供給する水を通す配管と、
前記配管上に設けられる電磁弁と、
前記フロートスイッチの検出結果に基づいて前記電磁弁の開度を制御する制御手段と、をさらに備えた
請求項１〜請求項３の何れか一項に記載の加湿装置。
【請求項５】
前記電磁弁の下方に設けられる受け部材をさらに備えた
請求項４に記載の加湿装置。
【請求項６】
前記導水部材には、前記フロートスイッチよりも前記吹出部側に設けられ、前記フロートスイッチの高さと同一又は前記フロートスイッチの高さよりも高い寸法を有するフロート風防が設けられている
請求項４又は請求項５に記載の加湿装置。
【請求項７】
前記電磁弁よりも前記吹出部側に設けられ、前記電磁弁の高さと同一又は前記電磁弁  の高さよりも高い寸法を有する電磁弁風防をさらに備えた
請求項４〜請求項６の何れか一項に記載の加湿装置。
【請求項８】
前記加湿装置本体は、箱形状で構成されており、
前記加湿装置本体の側面のうち前記吹出部に取り付けられる前記加湿装置本体の側面に隣接する第１側面には、前記配管に接続され且つ前記配管よりも水流れの上流側に位置する給水部が設けられ、
前記第１側面から、前記加湿装置本体の側面のうち前記第１側面の反対側に位置する第２側面に向かって順に、前記電磁弁風防、前記フロートスイッチ、前記加湿エレメントが設けられている
請求項７に記載の加湿装置。
【請求項９】
前記配管上に設けられるストレーナーオリフィスと、
前記配管、前記ストレーナーオリフィス、及び前記電磁弁を収納するカバーと、
前記カバーを前記加湿装置本体に固定する固定手段と、を備えた
請求項４〜請求項８の何れか一項に記載の加湿装置。
【請求項１０】
前記カバーの底面は、前記受け部材で構成される
請求項５に従属する請求項９に記載の加湿装置。
【請求項１１】
前記カバーの側面のうち前記吹出部側に位置する側面は、前記電磁弁風防で構成される  請求項７に従属する請求項９に記載の加湿装置。
【請求項１２】
前記給水タンクの上端のうち前記吹出部側には、上方から下方に向かって凹形状となるように給水タンク切欠が設けられている
請求項１〜請求項１１の何れか一項に記載の加湿装置。
【請求項１３】
前記導水部材切欠は、
前記第１側面を基準として、前記給水タンク切欠が設けられる位置よりも前記第２側面側に位置している
請求項２及び請求項８に従属する請求項１２に記載の加湿装置。
【請求項１４】
前記加湿エレメントを前記給水タンクに固定する固定手段をさらに備えた
請求項１〜請求項１３の何れか一項に記載の加湿装置。
【請求項１５】
前記加湿エレメントの高さは、
前記給水タンク、前記導水部材、及び前記加湿装置本体の高さに基づいて決定される
請求項１〜請求項１４の何れか一項に記載の加湿装置。
【請求項１６】
請求項１〜１５の何れか一項に記載の加湿装置が取り付けられる空気調和装置であって、
前記吹出部が設けられる空気調和装置本体を備え、
前記空気調和装置本体には、前記吹出部よりも空気の流れの上流側に設けられる吸入部が設けられ、
前記空気調和装置本体の内部には、前記吸入部から前記吹出部に向かうにつれて上方に傾斜する熱交換器が設けられた
空気調和装置。
【請求項１７】
前記加湿エレメントと前記熱交換器とは離間している
請求項１６に記載の空気調和装置。
【発明の詳細な説明】
【技術分野】
【０００１】
本発明は、加湿装置及び空気調和装置に関する。
【背景技術】
【０００２】
従来、空気調和装置に取り付けられる加湿器があった（例えば、特許文献１参照）。特許文献１に記載の加湿器は、内部において発生した水を溜めるドレンパンを備えている。【０００３】
また従来、空気調和装置に取り付けられ、加湿器本体の内部に設けられるドレンパンと、空気調和装置本体の内部に設けられるドレンパンと、をドレンホースで接続した加湿器があった。このような加湿器においては、加湿器本体の内部に設けられるドレンパンに溜められた水と、空気調和装置本体の内部に設けられるドレンパンに溜められた水と、は、別々に排出される。
【先行技術文献】
【特許文献】
【０００４】
【特許文献１】特開平５−２５２２８号公報（要約、図１）
【発明の概要】
【発明が解決しようとする課題】
【０００５】
しかしながら、特許文献１に記載の加湿器は、内部にドレンパンを設ける必要があるためにコストが嵩むという課題があった。また、空気調和装置に取り付けられる加湿器であって、加湿装置に設けられるドレンパンと、空気調和装置に設けられるドレンパンと、をドレンホースで接続したものにおいては、特許文献１に記載の加湿器と同様にコストが嵩み、また、加湿装置のドレンパンとドレンホースとの接続部及び空気調和装置のドレンパンとドレンホースとの接続部において水漏れが生じるという課題があった。【０００６】
本発明は、上述のような課題を解決するためになされたものであり、従来よりもコストを低減することができる加湿装置及び空気調和装置を提供することを目的としている。
【課題を解決するための手段】
【０００７】
本発明の加湿装置は、ドレンパンを備えた空気調和装置の吹出部に取り付けられる加湿装置であって、加湿装置本体と、前記加湿装置本体の内部に設けられる加湿エレメントと、前記加湿エレメントに供給する水を溜める給水タンクと、前記加湿エレメント及び前記給水タンクの少なくとも一方から流出する水を前記ドレンパンに導く導水部材と、を備えたものである。【０００８】
本発明の空気調和装置は、本発明の加湿装置が取り付けられる空気調和装置であって、前記吹出部が設けられる空気調和装置本体を備え、前記空気調和装置本体には、前記吹出部よりも空気流れの上流側に設けられる吸入部が設けられ、前記空気調和装置本体の内部には、前記吸入部から前記吹出部に向かうにつれて上方に傾斜する熱交換器が設けられたものである。
【発明の効果】
【０００９】
本発明によれば、加湿エレメント及び給水タンクの少なくとも一方から流れる水をドレンパンに導く導水部材を備えた。このため、加湿装置本体の内部にドレンパンを設けることなく、加湿装置本体の内部において発生したドレン水を空気調和装置本体の内部に設けられるドレンパンに供給することができる。したがって、従来よりもコストを低減することができる。
【図面の簡単な説明】
【００１０】
【図１】本発明の実施の形態に係る加湿装置１００が空気調和装置２００に取り付けられた状態を示す概略図である。
【図２】図１のＸ−Ｘ断面図である。
【図３】図１のＹ−Ｙ断面図である。
【図４】本発明の実施の形態に係る加湿装置１００の内部を示す概略図である。
【図５】本発明の実施の形態に係る加湿装置１００の内部を示す概略図である。
【図６】図５の実線矢印方向から見た場合における図である。
【図７】図５の破線矢印方向から見た場合における図である。
【図８】本発明の実施の形態に係る加湿装置１００の加湿エレメント１及び導水部材４０の位置関係を示す概略図である。
【図９】本発明の実施の形態に係る加湿装置１００の導水部材４０を示す概略図である。
【図１０】本発明の実施の形態に係る加湿装置１００の加湿エレメント１及び給水タンク２を示す概略図である。
【図１１】本発明の実施の形態に係る加湿装置１００の給水タンク２を示す概略図である。
【図１２】本発明の実施の形態に係る加湿装置１００の給水手段１０を示す概略図である。
【図１３】本発明の実施の形態に係る加湿装置１００の給水手段１０の水の流れを示す模式図である。
【発明を実施するための形態】
【００１１】
以下、本発明の加湿装置１００及び空気調和装置２００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
図１は本発明の実施の形態に係る加湿装置１００が空気調和装置２００に取り付けられた状態を示す概略図である。図２は図１のＸ−Ｘ断面図である。図３は図１のＹ−Ｙ断面図である。なお、図１における実線片矢印方向が、空気調和装置２００を運転した場合における空気の流れ方向となる。以後の説明において単に「空気の流れ方向」と記載する場合には、図１における実線片矢印方向を指すものとする。
【００１３】
図１に示されるように、加湿装置１００の外郭は加湿装置本体１００Ａで構成されている。加湿装置本体１００Ａは例えば箱形形状で構成されている。加湿装置本体１００Ａには開口部１００ａ，１００ｂ（図４）が設けられている。開口部１００ａ，１００ｂの詳細については後述する。
【００１４】
図１に示されるように、空気調和装置２００の外郭は空気調和装置本体２００Ａで構成されている。空気調和装置本体２００Ａは例えば箱形形状で構成されている。空気調和装置本体２００Ａには、吸入部２００Ａ１及び吹出部２００Ａ２が設けられている。吸入部２００Ａ１は空気調和装置本体２００Ａの内部に空気を導入するための開口である。吹出部２００Ａ２は空気調和装置本体２００Ａの内部に導入された空気を排出するための開口である。吸入部２００Ａ１及び吹出部２００Ａ２が設けられることで、図１の実線片矢印方向の空気流れが形成される。また、空気調和装置本体２００Ａの側面には、空気調和装置側制御手段１０３及び配管１０４が取り付けられている。空気調和装置側制御手段１０３は、例えば、この機能を実現する回路デバイス等のハードウェア、又はマイコン若しくはＣＰＵ等の演算装置上で実行されるソフトウェアで構成される。
【００１５】
図２に示されるように、加湿装置本体１００Ａの内部には、加湿エレメント１と、給水タンク２と、導水部材４０と、固定板７０と、が設けられている。空気調和装置本体２００Ａの内部には、熱交換器１０１と、ドレンパン１０２と、ファン（図示省略）と、緩衝材１１０と、が設けられている。図３に示されるように、加湿装置本体１００Ａの内部には、電磁弁１３ａ，１３ｂと、給水カバー１０Ａと、が設けられている。空気調和装置本体２００Ａの内部には、緩衝材１１１が設けられている。図２，図３における実線片矢印方向が、空気調和装置２００を運転した場合における空気の流れ方向であり、図１における実線片矢印方向と一致している。なお、以後の説明において、電磁弁１３ａ，１３ｂを電磁弁１３と総称することがある。また、電磁弁１３ａ，１３ｂ及び給水カバー１０Ａの詳細については後述する。
【００１６】
加湿エレメント１は、給水タンク２に溜められた水を吸い上げて加湿装置本体１００Ａの内部の空気を加湿するための部材である。加湿エレメント１は、例えば、加湿装置本体１００Ａの短手方向における吹出部２００Ａ２側に設けられている。加湿エレメント１は、例えば、加湿装置本体１００Ａの内部だけでなく空気調和装置本体２００Ａの内部に位置するように設けられている。加湿エレメント１は、給水タンク２から吸い上げた水のうち加湿装置本体１００Ａの内部の空気を加湿するために使用されなかった水を空気調和装置本体２００Ａ側の下端部付近から排出する。このようにして、加湿エレメント１が吸い上げた水に含まれるスケール成分が加湿エレメント１の内部において析出することを抑制することができる。加湿エレメント１の高さは、給水タンク２、導水部材４０、及び加湿装置本体１００Ａの高さに基づいて決定される。
【００１７】
給水タンク２は、加湿エレメント１に対して水を供給するタンクであり、例えば、加湿エレメント１の下方に設けられている。給水タンク２は、例えば、上面が開口した略Ｕ字形状の部材である。給水タンク２の内部には、加湿エレメント１の一部が水に浸漬する程度に水が溜められている。給水タンク２は導水部材４０によって支持されている。
【００１８】
導水部材４０は、給水タンク２を支持し、加湿装置本体１００Ａの内部において発生した水を受けてドレンパン１０２に導く部材である。導水部材４０は、例えば、加湿エレメント１及び給水タンク２の少なくとも一方から滴下する水を受けてドレンパン１０２に導く。導水部材４０は、例えば、加湿装置本体１００Ａの内部だけでなく空気調和装置本体２００Ａの内部に位置するように設けられている。導水部材４０の下面は、導水部材４０が加湿装置本体１００Ａ及び空気調和装置本体２００Ａの内部に設けられた状態で、加湿装置本体１００Ａ側から空気調和装置本体２００Ａ側に向かうにつれて下方に傾斜している。固定板７０は、給水タンク２を導水部材４０に固定するための部材である。
【００１９】
熱交換器１０１は、自身の内部を流れる冷媒と空気調和装置本体２００Ａの内部に流入した空気とを熱交換させるための部材である。熱交換器１０１は、例えば、空気の流れ方向の上流側から下流側に向かって上方に傾斜するように設けられている。すなわち、熱交換器１０１は、例えば、吸入部２００Ａ１側から吹出部２００Ａ２側に向かって上方に傾斜するように設けられている。ドレンパン１０２は、加湿装置本体１００Ａから流出したドレン水及び空気調和装置本体２００Ａの内部において発生したドレン水を受けて空気調和装置本体２００Ａの外部に排出する部材である。ドレンパン１０２は、例えば、熱交換器１０１の下方に設けられている。ファンは、空気調和装置本体２００Ａの外部の空気が、吸入部２００Ａ１、熱交換器１０１、吹出部２００Ａ２を順に通って空気調和装置本体２００Ａの外部に排出される空気流れを形成するための送風手段である。
【００２０】
緩衝材１１０は、導水部材４０の下方で且つドレンパン１０２の上方に設けられる部材である。緩衝材１１０は、導水部材４０及びドレンパン１０２に接触し、導水部材４０とドレンパン１０２との間に介在している。緩衝材１１０と導水部材４０とは、例えば接着材（図示省略）で接着されている。緩衝材１１０とドレンパン１０２とは、例えば接着材で接着されている。このように緩衝材１１０を設けることで、接触部が離れても空気調和装置２００から吹き付けられる風の影響で露飛びが起こる可能性を抑制することができる。緩衝材１１０は、本実施の形態においては、緩衝材１１０が２つ設けられている場合を例示しているが、緩衝材１１０の具体的な個数はこれに限定されるものではなく、少なくとも１つ設けられていればよい。
【００２１】
緩衝材１１１は、給水カバー１０Ａの下方に設けられる部材である。緩衝材１１１は、受け部材１０Ａ１及び空気調和装置本体２００Ａに接触し、受け部材１０Ａ１と空気調和装置本体２００Ａとの間に介在している。緩衝材１１１と受け部材１０Ａ１とは、例えば接着材（図示省略）で接着されている。緩衝材１１１と空気調和装置本体２００Ａとは、例えば接着材で接着されている。このように緩衝材１１１を設けることで、接触部が離れても空気調和装置２００から吹き付けられる風の影響で露飛びが起こる可能性を抑制することができる。緩衝材１１０は、本実施の形態においては、緩衝材１１１が１つ設けられている場合を例示しているが、緩衝材１１１の具体的な個数はこれに限定されるものではなく、２つ以上設けられていてもよい。
【００２２】
図４は本発明の実施の形態に係る加湿装置１００の内部を示す概略図である。図５は本発明の実施の形態に係る加湿装置１００の内部を示す概略図である。なお、図４における実線両矢印方向が、加湿装置１００の長手方向とする。また、図４における破線両矢印方向が、加湿装置１００の短手方向とする。
【００２３】
図４に示されるように、加湿装置本体１００Ａの側面のうち加湿装置１００の長手方向の両端には第１側面１００Ａ１及び第２側面１００Ａ２が設けられている。第１側面１００Ａ１は、空気の流れ方向から見て左側に位置する加湿装置本体１００Ａの側面の一部である。第２側面１００Ａ２は、空気の流れ方向から見て右側に位置する加湿装置本体１００Ａの側面の一部である。
【００２４】
図４に示されるように、加湿装置本体１００Ａの側面のうち加湿装置１００の短手方向の両端には開口部１００ａ，１００ｂが設けられている。開口部１００ａは、加湿装置１００が空気調和装置２００に取り付けられた状態において、開口部１００ｂよりも空気流れの上流側に設けられている。開口部１００ｂは、加湿装置１００が空気調和装置２００に取り付けられた状態において、開口部１００ａよりも空気流れの下流側に設けられている。開口部１００ａ，開口部１００ｂは、加湿装置本体１００Ａの側面のうち、第１側面１００Ａ１及び第２側面１００Ａ２に隣接する側面に設けられている。
【００２５】
加湿装置本体１００Ａの開口部１００ａと空気調和装置本体２００Ａの吹出部２００Ａ２とが対向するように加湿装置本体１００Ａを空気調和装置本体２００Ａに取り付けることで、加湿装置本体１００Ａの内部と空気調和装置本体２００Ａの内部とは、開口部１００ａ及び吹出部２００Ａ２を介して連通する。これにより、空気調和装置本体２００Ａの内部から吹出部２００Ａ２を通った空気は、開口部１００ａを通って加湿装置本体１００Ａの内部に流入する。
【００２６】
図４，図５に示されるように、第１側面１００Ａ１には制御手段８０が取り付けられている。図５に示されるように、加湿装置本体１００Ａの内部には、フロートスイッチ３、フロートスイッチカバー３Ａ、給水手段１０、及び、導水部材４０が設けられている。
【００２７】
フロートスイッチ３は、給水タンク２に溜められた水の液面を検出するものである。フロートスイッチ３の少なくとも一部を囲むようにフロートスイッチカバー３Ａが設けられている。フロートスイッチカバー３Ａは、例えば、フロートスイッチ３の側面の一部及び天面を囲うように設けられる部材である。制御手段８０は、例えば、フロートスイッチ３の検出結果に基づいて電磁弁１３を制御するものである。制御手段８０は、例えば、この機能を実現する回路デバイス等のハードウェア、又はマイコン若しくはＣＰＵ等の演算装置上で実行されるソフトウェアで構成される。
【００２８】
給水手段１０は、給水源（図示省略）から供給された水の少なくとも一部を給水タンク２に供給するためのものである。給水手段１０の外郭は給水カバー１０Ａによって構成されている。給水カバー１０Ａの一部は、受け部材１０Ａ１及び電磁弁風防１０Ａ２によって構成されている。導水部材４０には、傾斜部４１と、フロート風防４２と、導水部材切欠４３と、が設けられている。給水手段１０及び導水部材４０を構成する要素の詳細については後述する。
【００２９】
図６は図５の実線矢印方向から見た場合における図である。図７は図５の破線矢印方向から見た場合における図である。図６，図７に示されるように、第１側面１００Ａ１から第２側面１００Ａ２に向かって順に、給水手段１０、フロートスイッチ３、加湿エレメント１が位置している。
【００３０】
図８は本発明の実施の形態に係る加湿装置１００の加湿エレメント１及び導水部材４０の位置関係を示す概略図である。図９は本発明の実施の形態に係る加湿装置１００の導水部材４０を示す概略図である。図１０は本発明の実施の形態に係る加湿装置１００の加湿エレメント１及び給水タンク２を示す概略図である。図１１は本発明の実施の形態に係る加湿装置１００の給水タンク２を示す概略図である。
【００３１】
図８に示されるように、導水部材４０の上方には加湿エレメント１が設けられている。図９に示されるように、導水部材４０には、傾斜部４１と、フロート風防４２と、導水部材切欠４３と、脚部４４と、が設けられている。
【００３２】
傾斜部４１は、導水部材４０が加湿装置本体１００Ａの内部に設けられた状態で、加湿装置本体１００Ａ側から空気調和装置本体２００Ａ側に向かうにつれて下方に傾斜している。このように傾斜部４１を設けることで、熱交換器１０１において熱交換された空気を加湿エレメント１に一層導いて、熱交換器１０１において熱交換された空気の加湿を促進することができる。傾斜部４１の一部は、給水タンク切欠風防４１ａとして機能する。給水タンク切欠風防４１ａは、給水タンク２及び導水部材４０が加湿装置本体１００Ａ及び空気調和装置本体２００Ａの内部に設けられた状態で、熱交換器１０１において熱交換された空気が給水タンク切欠２ａに吹き付けられないように設けられている。給水タンク切欠風防４１ａは、例えば、導水部材４０の長手方向の中央付近に設けられている。フロート風防４２は、空気調和装置２００から吹出部２００Ａ２側に向かう風がフロートスイッチ３に吹き付けられないようにするための部材である。
【００３３】
導水部材切欠４３は、空気調和装置２００が冷房運転を行う場合において生じる結露水を逃がして露飛びを抑制するための切欠である。導水部材切欠４３は、開口部１００ａ１を通って加湿装置本体１００Ａの内部に流入した空気に含まれる水分を通すための切欠である。導水部材切欠４３は、導水部材４０が加湿装置本体１００Ａ及び空気調和装置本体２００Ａの内部に設けられた状態で、第２側面１００Ａ２側に位置する端部から第１側面１００Ａ１に向かって一部切り欠いたものである。なお、導水部材切欠４３を設ける範囲は、給水タンク切欠風防４１ａを設ける位置を考慮して決定することが望ましい。すなわち、導水部材切欠４３は、給水タンク切欠風防４１ａが設けられる位置よりも第２側面１００Ａ２側に設けられることが望ましい。脚部４４は、加湿装置本体１００Ａの底部上面に載置される部位である。脚部４４は、導水部材４０の長手方向における両端部にそれぞれ設けられている。
【００３４】
図１０に示されるように、加湿装置１００には固定棒６０が設けられる。固定棒６０は、加湿エレメント１を給水タンク２に固定するための部材である。固定棒６０を給水タンク２に引っ掛けることで、加湿エレメント１は給水タンク２に固定される。図１１に示されるように、給水タンク２の上端のうち吹出部２００Ａ２側には給水タンク切欠２ａが設けられている。給水タンク切欠２ａは、水が給水タンク２に過剰に供給された場合に過剰な水を排出するための切欠であり、例えば、上方から下方に向かって凹形状となっている。給水タンク切欠２ａは、吹出部２００Ａ２から吹き出される風が直接当たらないような位置に設けられている。給水タンク切欠２ａは、例えば、給水タンク２の長手方向の端部よりも中央側に設けられている。給水タンク切欠２ａは、例えば、加湿エレメント１の排水部付近に設けられている。加湿装置本体１００Ａの内部に加湿エレメント１及び給水タンク２が設けられた状態で、空気の流れ方向から見たとき、給水タンク切欠２ａは、加湿エレメント１に隠れて視認出来ないようになっている。
【００３５】
図１２は本発明の実施の形態に係る加湿装置１００の給水手段１０を示す概略図である。図１２に示されるように、給水手段１０は、給水カバー１０Ａと、給水部１１と、ストレーナーオリフィス１２と、電磁弁１３と、配管１４と、を備える。給水手段１０は、例えば、加湿装置本体１００Ａの長手方向のうち第１側面１００Ａ１側に設けられている。給水カバー１０Ａは、例えば、ネジ等の固定手段（図示省略）を用いて加湿装置本体１００Ａに固定される。
【００３６】
給水カバー１０Ａは、給水手段１０の外郭を構成する部材であり、例えば、箱形状の部材である。給水カバー１０Ａは、ストレーナーオリフィス１２と、電磁弁１３ａ，１３ｂと、配管１４と、を収納している。以下の説明においては、給水カバー１０Ａの底部を受け部材１０Ａ１と称し、給水カバー１０Ａの側部のうち吹出部２００Ａ２側に位置する側部を電磁弁風防１０Ａ２と称するものとする。ただし、受け部材１０Ａ１及び電磁弁風防１０Ａ２が給水カバー１０Ａの一部を構成する例に限定されるものではなく、受け部材１０Ａ１及び電磁弁風防１０Ａ２が給水カバー１０Ａとは別体として構成されていてもよい。
【００３７】
受け部材１０Ａ１は、給水カバー１０Ａの内部において発生した水を受けてドレンパン１０２に導く部材である。受け部材１０Ａ１は、例えば、電磁弁１３から滴下する水を受けてドレンパン１０２に導く部材である。受け部材１０Ａ１は、例えば、受け部材１０Ａ１が加湿装置本体１００Ａの内部に設けられた状態において、加湿装置１００の平面視において、電磁弁１３が受け部材１０Ａ１の内方に位置するような形状となっている。また、受け部材１０Ａ１は、例えば、電磁弁１３の最下部よりも下方に設けられている。また、受け部材１０Ａ１の下面は、導水部材４０が加湿装置本体１００Ａの内部に設けられた状態で、加湿装置本体１００Ａ側から空気調和装置本体２００Ａ側に向かうにつれて下方に傾斜している。
【００３８】
電磁弁風防１０Ａ２は、空気調和装置２００の吹出口から吹き出される風が電磁弁１３に吹き付けられないようにするための部材である。電磁弁風防１０Ａ２は、例えば、空気の流れ方向から見て矩形状であり、空気の流れ方向から見た場合に電磁弁１３よりも手前側に位置している。なお、空気の流れ方向から見て、電磁弁風防１０Ａ２の外枠よりも内方に電磁弁１３が位置することが望ましい。このような場合には、吹出部２００Ａ２から吹き出された空気が電磁弁１３に吹き付けられる可能性を低減することができる。
【００３９】
給水部１１は、給水手段１０の外部に設けられる給水源（図示省略）からストレーナーオリフィス１２に水を供給するものである。給水部１１は、例えば、第１側面１００Ａ１を厚み方向に貫通するように設けられている。ストレーナーオリフィス１２は、給水部１１から供給される水に含まれる異物を除去するための部材である。電磁弁１３は、給水部１１から供給される水の流量を調整するための部材である。電磁弁１３の開度は、制御手段８０によって制御される。配管１４は、例えば銅製のものである。
【００４０】
図１３は本発明の実施の形態に係る加湿装置１００の給水手段１０の水の流れを示す模式図である。なお、図中の矢印方向は、水の流れ方向を示している。図１３に示されるように、給水手段１０に導入された水は、給水部１１、ストレーナーオリフィス１２、配管１４、電磁弁１３ａ、配管１４、電磁弁１３ｂ、配管１４、を順に通って、給水タンク２に供給される。
【００４１】
以下に、本実施の形態に係る加湿装置１００の動作について説明する。
加湿装置１００を運転することで、給水源から供給された水は給水部１１に供給される。給水部１１に供給された水は、給水カバー１０Ａの内部に流入し、電磁弁１３等を通過し、給水タンク２に供給される。給水タンク２に供給された水は加湿エレメント１に供給される。加湿エレメント１は、給水タンク２から吸い上げた水で熱交換器１０１において熱交換された空気を加湿する。
【００４２】
加湿エレメント１が熱交換器１０１において熱交換された空気を加湿している場合において、加湿エレメント１が含む水の一部及び導水部材切欠４３を通った水は導水部材４０の上面に滴下する。また、給水タンク２に過剰に水が供給された場合には、給水タンク切欠２ａから排出される。また、給水カバー１０Ａの内部に流入した水は、電磁弁１３等を通って給水タンク２に供給される過程で、受け部材１０Ａ１は電磁弁１３から滴下した水を受ける。
【００４３】
このようにして、電磁弁１３から滴下した水は受け部材１０Ａ１に供給され、給水タンク２から溢れた水及び加湿エレメント１から排出された水は導水部材４０に供給される。そして、受け部材１０Ａ１に供給された水及び導水部材４０に供給された水は何れもドレンパン１０２に供給されるようになっている。すなわち、電磁弁１３、給水タンク２、及び加湿エレメント１から排出された水は、ドレンパン１０２に供給されて空気調和装置本体２００Ａの外部に排出されるようになっている。したがって、加湿装置本体１００Ａの内部において生じた水が、加湿装置本体１００Ａの内部において溜まる可能性を低減できる。
【００４４】
以下に、本実施の形態に係る空気調和装置２００の動作について説明する。
空気調和装置２００が運転されるとファンが回転する。ファンが回転すると、空気調和装置本体２００Ａの外部の空気が吸入部２００Ａ１を通って空気調和装置本体２００Ａの内部に流入し、熱交換器１０１において熱交換器１０１の内部を流れる冷媒と熱交換し、吹出部２００Ａ２を通って空気調和装置本体２００Ａの外部に流出する。空気調和装置本体２００Ａの外部に流出した空気は、開口部１００ａを通って加湿装置本体１００Ａの内部に流入し、開口部１００ｂを通って加湿装置本体１００Ａの外部に流出する。なお、加湿装置１００を使用してメンテナンスを行う必要が生じた場合には、作業者は、第１側面１００Ａ１側からメンテナンスを行う。
【００４５】
以上のように、本実施の形態に係る加湿装置１００は、ドレンパン１０２を備えた空気調和装置２００の吹出部２００Ａ２に取り付けられる加湿装置１００であって、加湿装置本体１００Ａと、加湿装置本体１００Ａの内部に設けられる加湿エレメント１と、加湿エレメント１に供給する水を溜める給水タンク２と、加湿エレメント１及び給水タンク２の少なくとも一方から流出する水をドレンパン１０２に導く導水部材４０と、を備えたものである。
このため、従来のように加湿装置本体１００Ａの内部にドレンパンを設けることなく、加湿装置本体１００Ａの内部において発生したドレン水を空気調和装置本体２００Ａの内部に設けられるドレンパン１０２に供給することができる。したがって、従来よりもコストを低減することができる。
【００４６】
また、本実施の形態に係る加湿装置１００は、ストレーナーオリフィス１２、電磁弁１３、及び配管１４が給水カバー１０Ａの内部に設けられ、給水カバー１０Ａが固定手段によって加湿装置本体１００Ａに固定されている。このため、固定手段の固定状態を解除するだけで、給水カバー１０Ａを加湿装置本体１００Ａから取り外して、給水カバー１０Ａの内部の各種部品のメンテナンスを行うことができる。
【００４７】
また、加湿エレメント１と熱交換器１０１とは離間して設けられている。このため、加湿エレメント１と熱交換器１０１とが接触することを抑制することができる。したがって、加湿エレメント１と熱交換器１０１とが接触して熱交換器１０１が腐食する可能性を低減できる。
【００４８】
また、熱交換器１０１は、例えば、空気の流れ方向の上流側から下流側に向かって上方に傾斜するように設けられている。このため、空気調和装置２００の内部において空気の流れ方向に向かうにつれて、熱交換器１０１とドレンパン１０２との間の上下方向の空隙が大きくなる。このため、空気調和装置本体２００Ａの内部において、加湿エレメント１、給水タンク２、及び導水部材４０を設けるスペースを確保することができる。したがって、空気調和装置本体２００Ａの内部のスペースを有効活用することができる。また、加湿装置１００の小型化を図ることができる。
【００４９】
なお、以上の実施の形態においては、給水カバー１０Ａが、例えばネジを用いて加湿装置本体１００Ａに固定される例について説明したが、給水カバー１０Ａを加湿装置本体１００Ａに固定するための固定手段はこれに限定されるものではない。加湿装置本体１００Ａに対して振動が付与された場合に給水カバー１０Ａの位置ずれを抑制できるような固定手段を適宜採用することができる。
【符号の説明】
【００５０】
１  加湿エレメント、２  給水タンク、２ａ  給水タンク切欠、３  フロートスイッチ、３Ａ  フロートスイッチカバー、１０  給水手段、１０Ａ  給水カバー、１０Ａ１  受け部材、１０Ａ２  電磁弁風防、１１  給水部、１２  ストレーナーオリフィス、１３，１３ａ，１３ｂ  電磁弁、１４  配管、４０  導水部材、４１  傾斜部、４１ａ  給水タンク切欠風防、４２  フロート風防、４３  導水部材切欠、４４  脚部、６０  固定棒、７０  固定板、８０  制御手段、１００  加湿装置、１００Ａ  加湿装置本体、１００Ａ１  第１側面（カバー）、１００Ａ２  第２側面、１００ａ，１００ｂ  開口部、１０１  熱交換器、１０２  ドレンパン、１０３  空気調和装置側制御手段、１０４  配管、１１０，１１１  緩衝材、２００  空気調和装置、２００Ａ  空気調和装置本体、２００Ａ１  吸入部、２００Ａ２  吹出部。
【図１】
2016121091.tif 000003
【図２】
2016121091.tif 000004
【図３】
2016121091.tif 000005
【図４】
2016121091.tif 000006
【図５】
2016121091.tif 000007
【図６】
2016121091.tif 000008
【図７】
2016121091.tif 000009
【図８】
2016121091.tif 000010
【図９】
2016121091.tif 000011
【図１０】
2016121091.tif 000012
【図１１】
2016121091.tif 000013
【図１２】
2016121091.tif 000014
【図１３】
2016121091.tif 000015
【手続補正書】
【提出日】平成29年4月11日(2017.4.11)
【手続補正１】
【補正対象書類名】明細書
【補正対象項目名】０００７
【補正方法】変更
【補正の内容】
【０００７】
本発明の加湿装置は、ドレンパンを備えた空気調和装置の吹出部に取り付けられる加湿装置であって、加湿装置本体と、前記加湿装置本体の内部に設けられる加湿エレメントと、前記加湿エレメントに供給する水を溜める給水タンクと、前記加湿エレメント及び前記給水タンクの少なくとも一方から流出する水を前記ドレンパンに導く導水部材と、前記導水部材と前記ドレンパンとの間に介在する緩衝材と、を備えたものである。
【手続補正２】
【補正対象書類名】特許請求の範囲
【補正対象項目名】全文
【補正方法】変更
【補正の内容】
【特許請求の範囲】
【請求項１】
ドレンパンを備えた空気調和装置の吹出部に取り付けられる加湿装置であって、
加湿装置本体と、
前記加湿装置本体の内部に設けられる加湿エレメントと、
前記加湿エレメントに供給する水を溜める給水タンクと、
前記加湿エレメント及び前記給水タンクの少なくとも一方から流出する水を前記ドレンパンに導く導水部材と、
前記導水部材と前記ドレンパンとの間に介在する緩衝材と、を備えた
加湿装置。
【請求項２】
前記導水部材には、前記吹出部側に向かうにつれて下方に傾斜する傾斜部が設けられ、  前記傾斜部には、該傾斜部の一部が上方から下方に向かって切り欠かれた導水部材切欠きが設けられている
請求項１に記載の加湿装置。
【請求項３】
前記給水タンクの液面を検知するフロートスイッチと、
前記給水タンクに供給する水を通す配管と、
前記配管上に設けられる電磁弁と、
前記フロートスイッチの検出結果に基づいて前記電磁弁の開度を制御する制御手段と、をさらに備えた
請求項１又は請求項２に記載の加湿装置。
【請求項４】
前記電磁弁の下方に設けられる受け部材をさらに備えた
請求項３に記載の加湿装置。
【請求項５】
前記導水部材には、前記フロートスイッチよりも前記吹出部側に設けられ、前記フロートスイッチの高さと同一又は前記フロートスイッチの高さよりも高い寸法を有するフロート風防が設けられている
請求項３又は請求項４に記載の加湿装置。
【請求項６】
前記電磁弁よりも前記吹出部側に設けられ、前記電磁弁の高さと同一又は前記電磁弁の高さよりも高い寸法を有する電磁弁風防をさらに備えた
請求項３〜請求項５の何れか一項に記載の加湿装置。
【請求項７】
前記加湿装置本体は、箱形状で構成されており、
前記加湿装置本体の側面のうち前記吹出部に取り付けられる前記加湿装置本体の側面に隣接する第１側面には、前記配管に接続され且つ前記配管よりも水流れの上流側に位置する給水部が設けられ、
前記第１側面から、前記加湿装置本体の側面のうち前記第１側面の反対側に位置する第２側面に向かって順に、前記電磁弁風防、前記フロートスイッチ、前記加湿エレメントが設けられている
請求項６に記載の加湿装置。
【請求項８】
前記配管上に設けられるストレーナーオリフィスと、
前記配管、前記ストレーナーオリフィス、及び前記電磁弁を収納するカバーと、
前記カバーを前記加湿装置本体に固定する固定手段と、を備えた
請求項３〜請求項７の何れか一項に記載の加湿装置。
【請求項９】
前記カバーの底面は、前記受け部材で構成される
請求項４に従属する請求項８に記載の加湿装置。
【請求項１０】
前記カバーの側面のうち前記吹出部側に位置する側面は、前記電磁弁風防で構成される  請求項６に従属する請求項８に記載の加湿装置。
【請求項１１】
前記給水タンクの上端のうち前記吹出部側には、上方から下方に向かって凹形状となるように給水タンク切欠が設けられている
請求項１〜請求項１０の何れか一項に記載の加湿装置。
【請求項１２】
前記導水部材切欠は、
前記第１側面を基準として、前記給水タンク切欠が設けられる位置よりも前記第２側面側に位置している
請求項２及び請求項７に従属する請求項１１に記載の加湿装置。
【請求項１３】
前記加湿エレメントを前記給水タンクに固定する固定手段をさらに備えた
請求項１〜請求項１２の何れか一項に記載の加湿装置。
【請求項１４】
前記加湿エレメントの高さは、
前記給水タンク、前記導水部材、及び前記加湿装置本体の高さに基づいて決定される
請求項１〜請求項１３の何れか一項に記載の加湿装置。
【請求項１５】
請求項１〜１４の何れか一項に記載の加湿装置が取り付けられる空気調和装置であって、
前記吹出部が設けられる空気調和装置本体を備え、
前記空気調和装置本体には、前記吹出部よりも空気の流れの上流側に設けられる吸入部が設けられ、
前記空気調和装置本体の内部には、前記吸入部から前記吹出部に向かうにつれて上方に傾斜する熱交換器が設けられた
空気調和装置。
【請求項１６】
前記加湿エレメントと前記熱交換器とは離間している
請求項１５に記載の空気調和装置。
【国際調査報告】
2016121091.tif 000016
2016121091.tif 000017
2016121091.tif 000018
2016121091.tif 000019